(57)【要約】【課題】包装構造の体積を有効に縮減できる平面テレビの包装構造を提供する。【解決手段】外箱３と、底箱３１と、二つのパッキン材３３とを有する。底箱３１は、外箱３内の底面に設けられ、それの底面は平面テレビのディスプレーパネルの上端の覆い包みに供される。二つのパッキン材３３は、外箱３内の上部に設けられ、ディスプレーパネルに面する底端にそれぞれディスプレーパネルの底端の覆い包みに供される二つの第一収納溝３３０が設けられ、それらの頂上面には他にそれぞれ平面テレビの底台４２の覆い包みに供される第二収納溝３３２が設けられている。このようにして、同時にディスプレーパネル及び底台４２を同一の包装構造内に包装することができ、包装構造の体積を有効に縮減できる。【選択図】図２
2008120451.tif 000002
【特許請求の範囲】
【請求項１】
分離したディスプレーパネル及び底台を備える平面テレビの包装構造であって、
外箱と、
外箱内の底面に設けられ、底面が平面テレビのディスプレーパネルの上端の覆い包みに供される底箱と、
外箱内の上部に設けられ、ディスプレーパネルに面する底端にそれぞれディスプレーパネルの底端の覆い包みに供される二つの第一収納溝が設けられ、それらの頂上面には他にそれぞれ平面テレビの底台の覆い包みに供される第二収納溝が設けられている二つのパッキン材と、
を備えることを特徴とする平面テレビの包装構造。
【請求項２】
底箱は、外箱内の底面に収納される箱体と、それぞれ箱体の両端内に設けられ、それらの頂上面にはそれぞれディスプレーパネルの上端と両側の接触個所の収納に供される凹陥溝が設けられている二つのブロックとを有することを特徴とする請求項１記載の平面テレビの包装構造。
【請求項３】
外箱の側面の底面に近い個所にはそれぞれ複数の孔が設けられていることを特徴とする請求項２記載の平面テレビの包装構造。
【請求項４】
箱体にはそれぞれ複数の別の孔が設けられ、別の孔はそれぞれ外箱の側面の孔と互いに対応することを特徴とする請求項３記載の平面テレビの包装構造。
【請求項５】
二つのブロックの側面にはそれぞれ複数の嵌め溝が設けられ、嵌め溝はそれぞれ箱体の別の孔と互いに対応することを特徴とする請求項４記載の平面テレビの包装構造。
【請求項６】
複数の止め具を含み、止め具は順番に孔及び別の孔を通りぬいて嵌め溝内で嵌め付けられることを特徴とする請求項５記載の平面テレビの包装構造。
【発明の詳細な説明】
【技術分野】
【０００１】
本発明は、平面テレビの包装構造に関するもので、特に、外箱、底箱及び二つのパッキン（packing）材が含まれ、底箱は外箱内の底部に置かれ、二つのパッキン材は外箱内の上部に置かれ、それをもって同時に平面テレビのディスプレーパネル（display panel）と底台を外箱内に包装するものを指す。
【背景技術】
【０００２】
ここ数年来、各種新型の電子製品が絶えず押し出され、それらは機能及び品質は論じず、すべては突破性の発展があるので、人々のこれまでの製品を選択購買する慣習を打破してしまい、例えば、映像管（Cathode Ray Tube、略してＣＲＴと称す）テレビは体積が大きく、電気の消耗量が高いので、使用者の携帯、空間配置と運搬における実際のニーズ（needs）を満足させることができず、すでに逐次消費市場から淘汰されて平面テレビに取って代わられ、特に、いわゆる液晶テレビ（Liquid Crystal Display ＴＶ、略してＬＣＤ  ＴＶと称す）は低い電気消耗量、低い輻射量、重量が軽い、体積が小さい、スペース（space）を占めない等の長所があるので、広く消費者に喜ばれて歓迎され、そのために、液晶テレビの市場ニーズ及びシェアー（share）は不断に成長し、更に、液晶パネルのコスト（cost）が絶えず低減しているので、液晶テレビは逐次伝統的映像管テレビに取って代わり、家電音声影像製品の主流になっている。
【０００３】
液晶テレビが製造技術に於いて絶えず突破しているので、もともと消費者にぜいたく品と認定された液晶テレビも今では高性能低価格の家電製品の一つになり、特に、液晶テレビの売値がますます安くなった今日では、大サイズ液晶テレビの販売量が逐次増えており、大サイズ液晶テレビの包装及び運送が引き起こす問題がいちいち浮き上がり、並びに各製造メーカ（maker）、販売商社及び消費者が現在共同で関心している重要課題の一つになっている。
【０００４】
一般的に、液晶テレビは、ディスプレーパネル及び底台から構成され、液晶テレビの包装を行う場合、従来の包装方式はディスプレーパネルと底台を組み立てた後、更に、全体を包装箱の中に入れて包装し、包装が終われば、出荷または運送することができる。ところが、このような包装方式を採用した結果、包装箱の体積が大幅に増え、包装箱の材料コストが増えるだけでなく、かつ液晶テレビの輸送時の単一コンテナ（container）の積み込み量が減少し、更に、液晶テレビの輸送コストが増えてしまうので、一部の製造メーカは、前記欠点を改善するために、ディスプレーパネルと底台を分けて包装している。ところが、この方法は、各包装箱の容積を縮小することができるが、逆に包装コストが増え、包装時間が長引く等の欠点が発生し、かつ消費者が液晶テレビを買った後、自分でディスプレーパネルと底台を組み立てなければならないので、消費者の購買意欲は大幅に低減してしまう。
【０００５】
上記二種類の包装方式で発生する難問を改善するため、ある業者は、同時にディスプレーパネルと底台を包装することができる包装箱を研究開発し、例えば、特許文献１の液晶ディスプレーの包装箱構造は、図１に示すように、外箱１０、下層クッション（cushion）１１、側辺クッション１２及び上層クッション１３が含まれ、下層クッション１１は外箱１０内の底部に置かれ、ディスプレーパネル２０の底端は下層クッション１１内に覆い包まれ、上層クッション１３はディスプレーパネル２０の上端の覆い包みに用いられ、外箱１０の覆い包みが完成したら、上層クッション１３は外箱１０の頂上部内に収納され、側辺クッション１２は下層クッション１１と上層クッション１３との間に置かれてディスプレーパネル２０の側面の覆い包みに用いられ、底台２２は上層クッション１３に設けられている嵌め溝１３０を経て側辺クッション（cushion）１２及び上層クッション（cushion）１３の間に置くことができる。
【０００６】
【特許文献１】中華民国実用新案番号第Ｍ２８４６４９号
【発明の開示】
【発明が解決しようとする課題】
【０００７】
ところが、前記包装箱の構造は、包装箱の体積を縮小することができるが、やはり従来の包装方式から引き起こされる欠点を有効に改善することができず、かつ消費者には他の困りごとが発生する。まず、ディスプレーパネル２０が取り出されたら、底台２２はまだディスプレーパネル２０の底端に組み付けられていないので、ディスプレーパネル２０はテーブル（table）の上に直立できず、いかにしてディスプレーパネル２０を置くかが消費者の最初に対面する難問になり、もし置き方が不適当であれば、ディスプレーパネル２０にかすり傷や損害を導いてしまう。次に、消費者は、通常、ディスプレーパネル２０をテーブルの上または地面に横に寝かせるが、こうすると、消費者が底台２２をディスプレーパネル２０の底端に組み付ける場合、常に置く位置がよくないので、力を施すのが難しくなり、組み立て時にディスプレーパネル２０または底台２２を傷つけてしまい、そのために、消費者と製造メーカの間で必要のない消費トラブル（trouble）を引き起こす。
【０００８】
この外、前記包装箱の構造は、体積が大きく、かつ数量の多いクッション１１、クッション１２及びクッション１３を使用しており、それらクッション１１、クッション１２、クッション１３は発泡スチロール（styrol）、紙等クッション材またはスポンジ（sponge）を材料としているので、包装材料のコストが増えるだけでなく、かつ包装材の使用量を減少する環境保全の要求に符合しないので、如何にして上記各種欠点を改善するかが現在の各製造メーカが対面する重要課題になっている。
【０００９】
液晶テレビが包装上に於いて前記の多くの欠点があることに鑑み、本発明の発明者は長年の実務経験及び研究心得により、並びに長期の努力研究と実験を経た後、遂に本発明の平面テレビの包装構造を開発した。
【課題を解決するための手段】
【００１０】
本発明の目的は、平面テレビの包装構造を提供するもので、それは、同時に平面テレビのディスプレーパネル及び底台の包装に用いられ、それには外箱が設けられ、外箱内の底面及び頂上部にはそれぞれ底箱及び二つのパッキン材が設けられ、底箱の底面はディスプレーパネルの上端の覆い包みに供され、二つのパッキン材のディスプレーパネルに面する底端にはそれぞれディスプレーパネルの底端の覆い包みに供される二つの第一収納溝が設けられ、かつ二つのパッキン材の頂上面には他にそれぞれ底台の覆い包みに供される第二収納溝が設けられ、このようにすれば、同時にディスプレーパネル及び底台を同一の包装構造内に包装することができるだけでなく、かつ包装構造の体積を有効に縮減することができる。
【発明を実施するための最良の形態】
【００１１】
審査委員各位に本発明の目的、技術特徴及び効果に対して更に進んで認識と了解をしていただくため、ここに実施例を取り上げ、図面と合わせて次の如く詳しく説明する。
本発明の一実施例による平面テレビの包装構造は、図２及び図３に示すように、外箱３、底箱３１及び二つのパッキン材３３が含まれ、それは同時に平面テレビのディスプレーパネル４０及び底台４２の包装に用いられ、底箱３１は外箱３内の底面に設けられ、かつ底箱３１の底面はディスプレーパネル４０の上端の覆い包みに供されてディスプレーパネル４０の上端が衝撃を受けないように用いられ、二つのパッキン材３３は外箱３内の頂上部に設けられ、二つのパッキン材３３にはともに第一収納溝３３０及び第二収納溝３３２が含まれ、二つの第一収納溝３３０はそれぞれ二つのパッキン材３３の底面に設けられてディスプレーパネル４０の底端の覆い包みに供され、ディスプレーパネル４０の底端が衝撃を受けないよう用いられ、かつディスプレーパネル４０は底箱３１及び二つのパッキン材３３によって外箱３とある隙間が保たれ、ディスプレーパネル４０が運搬の過程に衝撃を受けることを避ける。二つの第二収納溝３３２はそれぞれ二つのパッキン材３３の頂上面に設けられ、それは平面テレビの底台４２の覆い包みに供され、このようにすれば、平面テレビのディスプレーパネル４０及び底台４２を同時に外箱３内に包装することができ、かつ包装構造の体積を縮減することができる。
【００１２】
再び図２と図３を参照する。本発明の一実施例に於いて、底箱３１は箱体３１１及び二つのブロック（block）３１３から構成され、その中、箱体３１１は外箱３内の底面に収納され、かつ外箱３内の側面に貼り付けられ、箱体３１１はボール紙を材料とし、二つのブロック３１３はそれぞれ箱体３１１の両端内に設けられ、かつ二つのブロック３１３の頂上面にはそれぞれディスプレーパネル４０の上端と両側の接触個所の収納に供される凹陥溝３１５が設けられ、このようにすれば、ディスプレーパネル４０が上端に衝撃を受けることが避けられ、かつ底箱３１の構造はスポンジまたは発泡材の使用量を減らすことができるだけでなく、尚且つ関連環境保護法令の規定に符合する。
【００１３】
再び図２を参照する。本実施例に於いて、外箱３の側面の底面に近い個所にはそれぞれ複数の孔３７が設けられ、孔３７はそれぞれ箱体３１１に設けられている複数の別の孔３１７に対応し、別の孔３１７はまたそれぞれ底箱３１内の二つのブロック３１３の側面に設けられている複数の嵌め溝３１９に対応し、また、包装構造は更に複数の止め具３５が含まれ、止め具３５はそれぞれ外箱３の側面に設けられ、かつそれぞれ順番に孔３７及び別の孔３１７を通りぬいて嵌め溝３１９内に嵌め付けられ、このように各止め具３５がそれぞれ外箱３を通りぬいて底箱３１と接することにより、底箱３１を外箱３内の底面に固定することができ、平面テレビを運送の過程に於いてより安定して外箱３内に固定することができる。
【００１４】
また、本発明が提出した他の実施例による平面テレビの包装方法は、図４に示すように、平面テレビにはディスプレーパネル４０及び底台４２が含まれ、その方法はディスプレーパネル４０及び底台４２の包装に用いられる次のステップ（step）が含まれる。
（４０１）ディスプレーパネル４０の上端を底箱３１内に入れる。
（４０２）更に、底箱３１及びディスプレーパネル４０を外箱３内に入れ、ディスプレーパネル４０は外箱３内で逆立ちし、ディスプレーパネル４０の底端は外箱３の上側に面する。
【００１５】
（４０３）底台４２を二つのパッキン材３３の間に覆い包む。
（４０４）底台４２を覆い包んだ二つのパッキン材３３でディスプレーパネル４０の底端を覆い包み、ディスプレーパネル４０は安定して外箱３内に固定され、かつ外箱３とある隙間が保たれる。
（４０５）外箱３の上端を封じ、そうすれば、平面テレビのディスプレーパネル４０及び底台４２は同時に外箱３内に包装される。
【００１６】
本発明のまた他の実施例による平面テレビの包装の分解組み立て方法は、図５に示すように、外箱３の上端を封じた後、それを分解する場合は、次のステップが含まれる。
（５０１）外箱３の上端を開ける。
（５０２）外箱３内から二つのパッキン材３３及び底台４２を取り出す。
（５０３）底台４２をディスプレーパネル４０の底端に取り付け、平面テレビの組み立てを完成する。
（５０４）組み立てが完成した平面テレビを外箱３内の底箱３１から取り出し、置きたいところに設置する。
【００１７】
本実施例の平面テレビの包装構造及び包装方法によれば、ディスプレーパネル４０及び底台４２を同時に包装構造内に包装することができるだけでなく、かつ包装構造の体積を縮小し、包装材料の体積を減少することができ、従来の包装箱の構造よりも更にコストを節減することができ、かつ包装材を減量使用する環境保全の要求に符合する。この外、図６に示すように、消費者が平面テレビの包装箱を分解し、かつ二つのパッキン材３３及び底台４２をディスプレーパネル４０の底端から取り出した後、ディスプレーパネル４０は底箱３１によって平面に逆立ちしているので、消費者は軽易に底台４２をディスプレーパネル４０の底端に取り付けることができ、底台４２をディスプレーパネル４０の底端に取り付けたら、消費者は組み立てが完了した平面テレビをを外箱３内の底箱３１から取り出し、それの向きを変えて適当な場所に設置することができる。このように、ディスプレーパネル４０の置く回数を減少するだけでなく、ディスプレーパネル４０のかすり傷の発生を避けることができ、並びに平面テレビの取り付けと分解の時間及びステップを短縮することができる。
以上に述べたのは本発明の最適具体実施例だけであり、本発明の構造特徴はそれに局限されず、如何なる技術を熟知するものが本発明の領域に於いて軽易に思い及べる変化または改修はすべて本発明の特許範囲内に含まれる。
【図面の簡単な説明】
【００１８】
【図１】従来の液晶ディスプレーの包装箱構造を示す分解斜視図である。
【図２】本発明の一実施例による平面テレビの包装構造を示す分解斜視図である。
【図３】本発明の一実施例による平面テレビの包装構造を示す断面図である。
【図４】本発明の他の実施例による平面テレビの包装構造の包装方法のフローチャートを示す図である。
【図５】本発明の他の実施例による平面テレビの包装構造の分解方法のフローチャートを示す図である。
【図６】本発明の他の実施例による平面テレビの包装構造の平面テレビの分解取り付けを示す斜視図である。
【符号の説明】
【００１９】
３：外箱、３１：底箱、３３：パッキン材、３５：止め具、３７：孔、４０：ディスプレーパネル、４２：底台、３１１：箱体、３１３：ブロック、３１５：凹陥溝、３１７：別の孔、３１９：嵌め溝、３３０：第一収納溝、３３２：第二収納溝
【図１】
2008120451.tif 000003
【図２】
2008120451.tif 000004
【図３】
2008120451.tif 000005
【図４】
2008120451.tif 000006
【図５】
2008120451.tif 000007
【図６】
2008120451.tif 000008